【手続補正書】
【提出日】平成30年9月4日(2018.9.4)
【手続補正１】
【補正対象書類名】明細書
【補正対象項目名】０１２０
【補正方法】変更
【補正の内容】
【０１２０】
本発明の範囲及び趣旨を逸脱することなく、本発明の様々な修正及び改変が当業者には
明らかとなるであろう。本発明は、本明細書に記載された例示的な実施形態及び実施例に
よって過度に限定されることを意図するものではなく、そのような実施例及び実施形態は
、例としてのみ提示されるものであり、本発明の範囲は、以下のように本明細書に記載さ
れる、請求項によってのみ限定されることを意図するものである点を理解されたい。
以下、本発明の態様について説明する。
〔態様１〕
使用者の身体部分に圧迫を加えるための圧迫システムであって、
使用者の前記身体部分の一部分を実質的に覆うためのスリーブを備え、
前記スリーブは、２つの横方向側縁部を有し、第１の横方向側縁部から第２の横方向側縁部への横断方向において、前記スリーブは、第１の横方向側領域、中央領域、及び第２の横方向側領域を備え、
前記スリーブの少なくとも前記中央領域は、前記スリーブの前記横断方向及び長手方向に弾性を有する材料（主材料）を含み、
前記主材料は、前記スリーブの前記横断方向における１０Ｎ／ｃｍ幅の荷重下での最大伸長率は５％〜３５％以下であり、力／ｃｍ幅は０．１Ｎ／ｃｍ〜０．９Ｎ／ｃｍの範囲である領域における張力−伸長曲線の傾斜が０．９Ｎ／（ｃｍ・％）以下であるように、前記スリーブの前記方向のうちの１つ（第１のスリーブ方向）に張力及び伸長特性を有し、
前記圧迫システムは、解放可能な閉鎖システムを更に備え、前記閉鎖システムは、使用時に、前記閉鎖システムの閉鎖に際して、前記スリーブは前記使用者の前記身体部分の周囲で拘束され、締め付けられるように前記スリーブに対して構成及び配置される、使用者の身体部分に圧迫を加えるための圧迫システム。
〔態様２〕
前記主材料は、力／ｃｍ幅は０．１Ｎ／ｃｍ〜０．９Ｎ／ｃｍの範囲の曲線の領域における張力−伸長曲線の前記傾斜が０．９Ｎ／（ｃｍ・％）以下、具体的には０．７５Ｎ／（ｃｍ・％）以下、より具体的には０．５０Ｎ／（ｃｍ・％）以下、最も具体的には０．３Ｎ／（ｃｍ・％）以下であるように、前記第２のスリーブ方向に張力及び伸長特性を有する、態様１に記載の圧迫システム。
〔態様３〕
前記主材料は、前記張力対伸長曲線の傾斜が０．０５Ｎ／（ｃｍ・％）以上であるように、前記第２のスリーブ方向に張力及び伸長特性を有する、態様２に記載の圧迫システム。
〔態様４〕
前記主材料は、前記張力対伸長曲線の傾斜が０．７５Ｎ／（ｃｍ・％）以下、具体的には０．５０Ｎ／（ｃｍ・％）以下、より具体的には０．３Ｎ／（ｃｍ・％）以下であるように、前記第１のスリーブ方向に張力及び伸長特性を有する、態様１〜３のいずれか一項に記載の圧迫システム。
〔態様５〕
前記主材料は、前記張力対伸長曲線の傾斜が０．０５Ｎ／（ｃｍ・％）以上であるように、前記第１のスリーブ方向に張力及び伸長特性を有する、態様１〜４のいずれか一項に記載の圧迫システム。
〔態様６〕
前記第１のスリーブ方向は、前記スリーブの前記横断方向である、態様１〜５のいずれか一項に記載の圧迫システム。
〔態様７〕
前記主材料の前記スリーブの前記横断方向における最大伸長率は、１０Ｎ／ｃｍ幅の荷重下で３３％以下、具体的には３０％以下である、態様１〜６のいずれか一項に記載の圧迫システム。
〔態様８〕
前記主材料の前記スリーブの前記横断方向における最大伸長率は、１０Ｎ／ｃｍ幅の荷重下で６％以上、具体的には１０Ｎ／ｃｍ幅の荷重下で７％以上である、態様１〜７のいずれか一項に記載の圧迫システム。
〔態様９〕
前記主材料の前記長手方向における最大伸長率は、１０Ｎ／ｃｍ幅の荷重下で５％〜７０％以下である、態様１〜８のいずれか一項に記載の圧迫システム。
〔態様１０〕
前記主材料の前記長手方向における最大伸長率は、１０Ｎ／ｃｍ幅の荷重下で５５％以下、具体的には４５％以下である、態様９に記載の圧迫システム。
〔態様１１〕
前記主材料の前記長手方向における最大伸長率は、１０Ｎ／ｃｍ幅の荷重下で７％以上、具体的には１２％以上である、態様９又は１０に記載の圧迫システム。
〔態様１２〕
１０Ｎ／ｃｍ幅の荷重下での前記スリーブの前記横断方向における前記主材料の前記最大伸長率は、１０Ｎ／ｃｍ幅の荷重下での前記スリーブの前記長手方向における前記主材料の前記最大伸長率以下である、態様１〜１１のいずれか一項に記載の圧迫システム。
〔態様１３〕
１０Ｎ／ｃｍ幅の荷重下での前記スリーブの前記横断方向及び前記長手方向における前記主材料の前記最大伸長率の合計は、１０％〜７５％以下の範囲内である、態様１〜１２のいずれか一項に記載の圧迫システム。
〔態様１４〕
１０Ｎ／ｃｍ幅の荷重下での前記スリーブの前記横断方向及び前記長手方向における前記主材料の前記最大伸長率の合計は、７０％以下、具体的には６５％以下である、態様１３に記載の圧迫システム。
〔態様１５〕
１０Ｎ／ｃｍ幅の荷重下での前記スリーブの前記横断方向及び前記長手方向における前記主材料の前記最大伸長率の合計は、１４％以上、具体的には１９％以上である、態様１３又は１４に記載の圧迫システム。
〔態様１６〕
前記主材料の前記スリーブの前記横断方向及び／又は前記長手方向の回復伸長率は、９０％以上、具体的には９５％以上である、態様１〜１５のいずれか一項に記載の圧迫システム。
〔態様１７〕
前記主材料の前記横断方向及び／又は前記長手方向の曲げ長さは、２０ｃｍ以下、具体的には１５ｃｍ以下、より具体的には１０ｃｍ以下、最も具体的には５．０ｃｍ以下であり、及び／又は前記主材料の前記横断方向及び／又は前記長手方向の曲げ剛性は、１５０ｍＮ・ｃｍ以下、具体的には１２５ｍＮ・ｃｍ以下、より具体的には７５ｍＮ・ｃｍ以下、最も具体的には３５ｍＮ・ｃｍ以下である、態様１〜１６のいずれか一項に記載の圧迫システム。
〔態様１８〕
前記主材料の内側表面から外側表面の、及び／又は前記外側表面から前記内側表面の空気透過率は、２００Ｐａの試験圧を使用した試験ＩＳＯ  ９２３７−１９９５によれば、少なくとも２０ｃｍ／秒、具体的には少なくとも６０ｃｍ／秒、より具体的には少なくとも１００ｃｍ／秒である、態様１〜１７のいずれか一項に記載の圧迫システム。
〔態様１９〕
前記主材料の内側表面から外側表面までの水蒸気透過率は、ＩＳＯ  １５１０６第１部に従って測定した場合に、１０００ｇ／（ｍ２・２４ｈ）以上、具体的には１６００ｇ／（ｍ２・２４ｈ）以上、より具体的には２２００ｇ／（ｍ２・２４ｈ）以上、最も具体的には２８００ｇ／（ｍ２・２４ｈ）以上である、態様１〜１８のいずれか一項に記載の圧迫システム。
〔態様２０〕
前記主材料の坪量は、１００ｇ／ｍ２以上、具体的には１５０ｇ／ｍ２以上であり、より具体的には２００ｇ／ｍ２以上、更により具体的には２５０ｇ／ｍ２以上である、態様１〜１９のいずれか一項に記載の圧迫システム。
〔態様２１〕
前記主材料の厚さは、０．５ｍｍ以上、具体的には１．０ｍｍ以上、より具体的には１．４ｍｍ以上、更により具体的には１．８ｍｍ以上である、態様１〜２０のいずれか一項に記載の圧迫システム。
〔態様２２〕
前記布地の厚さは、６．０ｍｍ以下、具体的には５．２ｍｍ以下、より具体的には４．４ｍｍ以下、更により具体的には３．６ｍｍ以下である、態様１〜２１のいずれか一項に記載の圧迫システム。
〔態様２３〕
前記主材料は、発泡材及び／又は繊維性布地を含む、態様１〜２２のいずれか一項に記載の圧迫システム。
〔態様２４〕
前記主材料は、織布又は編地、具体的にはスペーサー編布、より具体的には経編されたスペーサー布地を含む、態様２３に記載の圧迫システム。
〔態様２５〕
前記中央領域の面積は、前記スリーブの全面積の少なくとも４０％（具体的には少なくとも４５％、より具体的には少なくとも５０％）である、態様１〜２４のいずれか一項に記載の圧迫システム。
〔態様２６〕
スリーブの高さの２／３に相当する高さにおいて、前記スリーブの前記中央領域は、前記スリーブの横断方向に前記スリーブを横切って４０％以上に延びている、態様１〜２５のいずれか一項に記載の圧迫システム。
〔態様２７〕
前記スリーブの前記中央領域の全面積の少なくとも８５％（具体的には少なくとも９０％、より具体的には少なくとも９５％）は、前記主材料で作製される、態様１〜２６のいずれか一項に記載の圧迫システム。
〔態様２８〕
前記第１の横方向側領域及び前記第２の横方向側領域の１０Ｎ／ｃｍの荷重下での前記横断方向における最大伸長率は、前記スリーブの前記中央領域の１０Ｎ／ｃｍの荷重下での前記横断方向における前記最大伸長率以下を示し、
及び／又は
前記第１の横方向側領域及び前記第２の横方向側領域の１０Ｎ／ｃｍの荷重下での前記長手方向における最大伸長率は、前記スリーブの前記中央領域の１０Ｎ／ｃｍの荷重下での前記長手方向における前記最大伸長率以下を示す、態様１〜２７のいずれか一項に記載の圧迫システム。
〔態様２９〕
前記身体部分は手足であり、前記スリーブは、前記スリーブが前記手足の少なくとも１つの主要筋にわたって延びており前記手足の一部分を覆うように構成及び配置され、前記主要筋は、前脛骨筋、ヒラメ筋、腓腹筋、大腿二頭筋、大腿直筋、内側広筋、中間広筋、外側広筋から選択され、又は
前記身体部分は手足であり、前記スリーブは、前記スリーブが前記手足の少なくとも１つの主要筋にわたって延びており前記手足の一部分を覆うように構成及び配置され、前記主要筋は、橈側手根屈筋、尺側手根屈筋、長掌筋、腕橈骨筋、上腕二頭筋、上腕三頭筋、上腕筋から選択される、態様１〜２８のいずれか一項に記載の圧迫システム。
〔態様３０〕
前記スリーブ及び前記閉鎖システムは、使用時に、前記閉鎖システムの閉鎖に際して、前記スリーブの２つの前記横方向縁部同士は互いに引き寄せられるが重なり合わないように構成及び配置されている、態様１〜２９のいずれか一項に記載の圧迫システム。
〔態様３１〕
前記閉鎖システムは、機械的締結閉鎖システムを備える、態様１〜３０のいずれか一項に記載の圧迫システム。
〔態様３２〕
前記スリーブの前記第１の横方向側領域に、複数の締結バンドは前記スリーブの実質的に前記長手方向に沿って連続に提供されている、態様１〜３１のいずれか一項に記載の圧迫システム。
〔態様３３〕
前記締結バンドは、前記締結バンドが前記スリーブの前記第１の横方向側縁部から前記スリーブの実質的に前記横断方向に延びているように、前記スリーブの前記第１の横方向側領域と一体的であり、又は
前記締結バンドのそれぞれは近位端部分を備え、前記近位端部分は、前記バンドが前記第１の横方向側縁部にわたって前記スリーブの実質的に前記横断方向に延びるように、前記スリーブの前記第１の横方向側領域に解放可能に又は固定的に取り付けられている、態様３２に記載の圧迫システム。
〔態様３４〕
締結バンドのそれぞれは、遠位端部分を備え、それぞれのバンドは、前記締結バンドの遠位端部分が前記スリーブの前記中央部分から離れて位置付けられた状態で、前記スリーブの実質的に前記横断方向に延びており、前記締結バンドの前記遠位端部分は、機械的締結要素、具体的にはオス締結要素、より具体的には、フックファスナー、マッシュルーム形ファスナー、ステム形ファスナー、カップ形ファスナー、Ｔ字形ファスナー、ピン形ファスナー、及びこれらの組み合わせからなる群から選択されるオス締結要素を備えている、態様３２又は３３に記載の圧迫システム。
〔態様３５〕
締結バンドのそれぞれは、第１の主表面及び第２の主表面を有し、前記第１の主表面は内側に面し、前記第２の主表面は外側に面し、前記遠位端部分の前記機械的締結要素は、前記遠位端部分の前記第１の主表面に提供されている、態様３４に記載の圧迫システム。
〔態様３６〕
前記第２の横方向側領域の前記外側表面は、前記締結バンドの前記遠位端部分の前記第１の主表面上に提供された前記機械的締結要素により係合されるように適合された構造を有しているか又は前記構造が提供されている、態様３５に記載の圧迫システム。
〔態様３７〕
前記第２の横方向側領域の前記外側表面に、前記係合構造は提供され、前記係合構造は、前記第２の横方向側領域に解放可能に又は固定的に取り付けられている、態様３６の記載の圧迫システム。
〔態様３８〕
各締結バンドは、第１の主表面及び第２の主表面を有し、前記第１の主表面は内側に面し、前記第２の主表面は外側に面し、前記遠位端部分の前記機械的締結要素は、前記遠位端部分の前記第２の主表面に提供されている、態様３４に記載の圧迫システム。
〔態様３９〕
前記スリーブの少なくとも第１の横方向側部分の前記外側表面は、前記締結バンドの前記遠位端部分の前記第２の主表面上に前記機械的締結要素により係合されるように適合された構造を有しているか又は前記構造体を提供されており、並びに／あるいは、前記締結バンドは、前記スリーブの前記第１の横方向側領域の前記外側表面に取り付けられた近位端部分を備え、前記バンドの前記近位端部分の前記第２の主表面は、前記締結バンドの前記遠位端部分の前記第２の主表面上に前記機械的締結要素により係合されるように適合された構造を有しているか又は前記構造が提供される、態様３８に記載の圧迫システム。
〔態様４０〕
各リングが締結バンドの反対側に配置されるように、前記スリーブの実質的に前記長手方向に沿って複数のリングは、前記第２の横方向側領域に連続して提供され、前記リングは、前記第２の横方向側領域に解放可能に又は固定的に取り付けられている、態様３８又は態様３９に記載の圧迫システム。
〔態様４１〕
前記第２の横方向側領域は、トリミング可能であるように構成及び配置されている、態様１〜４０のいずれか一項に記載の圧迫システム。
【手続補正２】
【補正対象書類名】特許請求の範囲
【補正対象項目名】全文
【補正方法】変更
【補正の内容】
【特許請求の範囲】
【請求項１】
使用者の身体部分に圧迫を加えるための圧迫システムであって、
使用者の前記身体部分の一部分を実質的に覆うためのスリーブを備え、
前記スリーブは、２つの横方向側縁部を有し、第１の横方向側縁部から第２の横方向側縁部への横断方向において、前記スリーブは、第１の横方向側領域、中央領域、及び第２の横方向側領域を備え、
前記スリーブの少なくとも前記中央領域は、前記スリーブの前記横断方向及び長手方向に弾性を有する材料（主材料）を含み、
前記主材料は、前記スリーブの前記横断方向における１０Ｎ／ｃｍ幅の荷重下での最大伸長率は５％〜３５％以下であり、力／ｃｍ幅は０．１Ｎ／ｃｍ〜０．９Ｎ／ｃｍの範囲である領域における張力−伸長曲線の傾斜が０．９Ｎ／（ｃｍ・％）以下であるように、前記スリーブの前記方向のうちの１つ（第１のスリーブ方向）に張力及び伸長特性を有し、
前記圧迫システムは、解放可能な閉鎖システムを更に備え、前記閉鎖システムは、使用時に、前記閉鎖システムの閉鎖に際して、前記スリーブは前記使用者の前記身体部分の周囲で拘束され、締め付けられるように前記スリーブに対して構成及び配置される、使用者の身体部分に圧迫を加えるための圧迫システム。
【請求項２】
前記主材料は、力／ｃｍ幅は０．１Ｎ／ｃｍ〜０．９Ｎ／ｃｍの範囲の曲線の領域における張力−伸長曲線の前記傾斜が０．９Ｎ／（ｃｍ・％）以下、具体的には０．７５Ｎ／（ｃｍ・％）以下、より具体的には０．５０Ｎ／（ｃｍ・％）以下、最も具体的には０．３Ｎ／（ｃｍ・％）以下であるように、前記第２のスリーブ方向に張力及び伸長特性を有する、請求項１に記載の圧迫システム。
【請求項３】
前記主材料は、前記張力対伸長曲線の傾斜が０．０５Ｎ／（ｃｍ・％）以上であるように、前記第２のスリーブ方向に張力及び伸長特性を有する、請求項２に記載の圧迫システム。
【請求項４】
前記主材料は、前記張力対伸長曲線の傾斜が０．７５Ｎ／（ｃｍ・％）以下、具体的には０．５０Ｎ／（ｃｍ・％）以下、より具体的には０．３Ｎ／（ｃｍ・％）以下であるように、前記第１のスリーブ方向に張力及び伸長特性を有する、請求項１〜３のいずれか一項に記載の圧迫システム。
【請求項５】
前記主材料は、前記張力対伸長曲線の傾斜が０．０５Ｎ／（ｃｍ・％）以上であるように、前記第１のスリーブ方向に張力及び伸長特性を有する、請求項１〜４のいずれか一項に記載の圧迫システム。
【請求項６】
前記第１のスリーブ方向は、前記スリーブの前記横断方向である、請求項１〜５のいずれか一項に記載の圧迫システム。
【請求項７】
前記主材料の前記長手方向における最大伸長率は、１０Ｎ／ｃｍ幅の荷重下で５％〜７０％以下である、請求項１〜６のいずれか一項に記載の圧迫システム。
【請求項８】
１０Ｎ／ｃｍ幅の荷重下での前記スリーブの前記横断方向及び前記長手方向における前記主材料の前記最大伸長率の合計は、１０％〜７５％以下の範囲内である、請求項１〜７のいずれか一項に記載の圧迫システム。
【請求項９】
前記主材料の前記スリーブの前記横断方向及び／又は前記長手方向の回復伸長率は、９０％以上、具体的には９５％以上である、請求項１〜８のいずれか一項に記載の圧迫システム。
【請求項１０】
前記主材料の前記横断方向及び／又は前記長手方向の曲げ長さは、２０ｃｍ以下、具体的には１５ｃｍ以下、より具体的には１０ｃｍ以下、最も具体的には５．０ｃｍ以下であり、及び／又は前記主材料の前記横断方向及び／又は前記長手方向の曲げ剛性は、１５０ｍＮ・ｃｍ以下、具体的には１２５ｍＮ・ｃｍ以下、より具体的には７５ｍＮ・ｃｍ以下、最も具体的には３５ｍＮ・ｃｍ以下である、請求項１〜９のいずれか一項に記載の圧迫システム。
【請求項１１】
前記主材料の内側表面から外側表面の、及び／又は前記外側表面から前記内側表面の空気透過率は、２００Ｐａの試験圧を使用した試験ＩＳＯ  ９２３７−１９９５によれば、少なくとも２０ｃｍ／秒、具体的には少なくとも６０ｃｍ／秒、より具体的には少なくとも１００ｃｍ／秒である、請求項１〜１０のいずれか一項に記載の圧迫システム。
【請求項１２】
前記主材料の内側表面から外側表面までの水蒸気透過率は、ＩＳＯ  １５１０６第１部に従って測定した場合に、１０００ｇ／（ｍ２・２４ｈ）以上、具体的には１６００ｇ／（ｍ２・２４ｈ）以上、より具体的には２２００ｇ／（ｍ２・２４ｈ）以上、最も具体的には２８００ｇ／（ｍ２・２４ｈ）以上である、請求項１〜１８のいずれか一項に記載の圧迫システム。
【請求項１３】
前記主材料の坪量は、１００ｇ／ｍ２以上、具体的には１５０ｇ／ｍ２以上であり、より具体的には２００ｇ／ｍ２以上、更により具体的には２５０ｇ／ｍ２以上である、請求項１〜１２のいずれか一項に記載の圧迫システム。
【請求項１４】
前記スリーブ及び前記閉鎖システムは、使用時に、前記閉鎖システムの閉鎖に際して、前記スリーブの２つの前記横方向縁部同士は互いに引き寄せられるが重なり合わないように構成及び配置されている、請求項１〜１３のいずれか一項に記載の圧迫システム。
【請求項１５】
前記スリーブの前記第１の横方向側領域に、複数の締結バンドは前記スリーブの実質的に前記長手方向に沿って連続に提供されており、
前記締結バンドは、前記締結バンドが前記スリーブの前記第１の横方向側縁部から前記スリーブの実質的に前記横断方向に延びているように、前記スリーブの前記第１の横方向側領域と一体的であり、又は
前記締結バンドのそれぞれは近位端部分を備え、前記近位端部分は、前記バンドが前記第１の横方向側縁部にわたって前記スリーブの実質的に前記横断方向に延びるように、前記スリーブの前記第１の横方向側領域に解放可能に又は固定的に取り付けられている、請求項１〜１４のいずれか一項に記載の圧迫システム。